(57)【要約】【課題】本発明は、複雑な解析を用いること無く、放射線デジタル画像に対して自動的に最適な画像処理を施すことができる放射線デジタル画像処理システムを提供することを目的とする。【解決手段】本発明に係る放射線デジタル画像処理システムは、放射線デジタル画像の照射野の中心領域の特徴量を生成する特徴量算出手段と、前記特徴量算出手段により算出された特徴量に関する情報に応じて、画像処理を行う画像処理手段とを有することを特徴とする。【選択図】        図１
2004187965.tif 000002
【特許請求の範囲】
【請求項１】
放射線デジタル画像の照射野の中心領域の特徴量を生成する特徴量算出手段と、
前記特徴量算出手段により算出された特徴量に関する情報に応じて、画像処理を行う画像処理手段とを有することを特徴とする放射線デジタル画像処理システム。
【請求項２】
放射線デジタル画像の照射野を抽出する照射野抽出手段と、前記照射野抽出手段により抽出された放射線デジタル画像の中心領域における特徴量を生成する特徴量算出手段と、
前記特徴量算出手段により算出された特徴量に関する情報に応じて、画像処理を行う画像処理手段とを有することを特徴とする放射線デジタル画像処理システム。
【請求項３】
前記特徴量算出手段は、放射線デジタル画像の中心領域の大きさ及び／または形状を決定する領域形状決定手段を具備することを特徴とする請求項１または２に記載の放射線デジタル画像処理システム。
【請求項４】
放射線撮影より得られる画像をデジタル化した放射線デジタル画像データを入力する入力手段を具備することを特徴とする請求項１または２に記載の放射線デジタル画像処理システム。
【請求項５】
放射線デジタル画像データの発生源の種類を設定する設定手段を具備することを特徴とする請求項１または２に記載の放射線デジタル画像処理システム。
【請求項６】
放射線デジタル画像が示す放射線デジタル画像の撮影部位を判別する判別手段を具備することを特徴とする請求項１または２に記載の放射線デジタル画像処理システム。
【請求項７】
前記画像処理手段において画像処理が施させた放射線デジタル画像データに対応した放射線画像を可視化し出力する画像出力手段を具備することを特徴とする請求項１または２に記載の放射線デジタル画像処理システム。
【請求項８】
複数種の出力手段の中から使用する出力手段を選択する出力手段選択手段を具備することを特徴とする請求項１または２に記載の放射線デジタル画像処理システム。
【請求項９】
前記設定手段は、前記入力手段により入力された放射線デジタル画像データに付加されている発生源の種類に関する情報に従って、発生源の種類を設定することを特徴とする請求項１または２に記載の放射線デジタル画像処理システム。
【請求項１０】
前記設定手段は、前記入力手段により入力された放射線デジタル画像データに付加されている撮影部位に関する情報に従って、撮影部位を判別することを特徴とする請求項１または２に記載の放射線デジタル画像処理システム。
【請求項１１】
前記領域形状決定手段は、発生源の種類に関する情報に従って、放射線デジタル画像の中心領域の大きさ及び／または形状を決定することを特徴とする請求項１または２に記載の放射線デジタル画像処理システム。
【請求項１２】
前記領域形状決定手段は、撮影部位に関する情報に従って、放射線デジタル画像の中心領域の大きさ及び／または形状を決定することを特徴とする請求項１または２に記載の放射線デジタル画像処理システム。
【請求項１３】
前記領域形状決定手段は、前記照射野抽出手段が抽出した照射野領域の大きさ及び／または形状情報に従って放射線デジタル画像の中心領域の大きさ及び／または形状を決定することを特徴とする請求項１または２に記載の放射線デジタル画像処理システム。
【請求項１４】
前記領域形状決定手段は、前記照射野抽出手段が抽出した照射野領域の大きさに比例して、放射線デジタル画像の中心領域の大きさ変更することを特徴とする請求項１または２に記載の放射線デジタル画像処理システム。
【請求項１５】
前記領域形状決定手段は、発生源の種類に関する情報と、前記照射野抽出手段が抽出した照射野領域の大きさ及び／または形状情報に従って放射線デジタル画像の中心領域の大きさ及び／または形状を決定することを特徴とする請求項１または２に記載の放射線デジタル画像処理システム。
【請求項１６】
前記領域形状決定手段は、撮影部位に関する情報と、前記照射野抽出手段が抽出した照射野領域の大きさ及び／または形状情報に従って放射線デジタル画像の中心領域の大きさ及び／または形状を決定することを特徴とする請求項１または２に記載の放射線デジタル画像処理システム。
【請求項１７】
前記画像処理手段は、前記入力手段により入力された放射線デジタル画像データに対して、前記設定手段により設定された発生源の種類に関する情報及び特徴量算出手段により算出された特徴量に関する情報に応じた濃度及び／または階調変換処理を施すことを特徴とする請求項１または２に記載の放射線デジタル画像処理システム。
【請求項１８】
前記画像処理手段は、前記入力手段により入力された放射線デジタル画像データに対して、前記設定手段により設定された発生源の種類に関する情報、前記出力手段選択手段により選択された放射線デジタル画像出力手段の種類に関する情報、及び特徴量算出手段により算出された特徴量に関する情報に応じた濃度及び／または階調変換処理を施すことを特徴とする請求項１または２に記載の放射線デジタル画像処理システム。
【請求項１９】
前記画像処理手段は、前記入力手段により入力された放射線デジタル画像データに対して、前記設定手段により設定された発生源の種類に関する情報、前記出力手段選択手段により選択された放射線デジタル画像出力手段の種類に関する情報、前記判別手段により判別された撮影部位に関する情報及び特徴量算出手段により算出された特徴量に関する情報に応じた濃度及び／または階調変換処理を施すことを特徴とする請求項１または２に記載の放射線デジタル画像処理システム。
【請求項２０】
前記画像処理手段は、濃度変換カーブを示すデータを発生源の種類に対応して記憶しているルックアップテーブルを備え、前記設定手段により設定された発生源の種類に関する情報に従って、前記ルックアップテーブルから対応する濃度変換カーブを示すデータを読み出し、読み出された濃度変換カーブを示すデータを用いて前記入力手段により入力される放射線デジタル画像データに対して濃度及び／または階調変換処理を施すことを特徴とする請求項１または２に記載の放射線デジタル画像処理システム。
【請求項２１】
前記画像処理手段は、濃度変換カーブを示すデータを撮影部位の種類に対応して記憶しているルックアップテーブルを備え、前記判別手段により判別された撮影部位の種類に関する情報に従って、前記ルックアップテーブルから対応する濃度変換カーブを示すデータを読み出し、読み出された濃度変換カーブを示すデータを用いて前記入力手段により入力される放射線デジタル画像データに対して濃度及び／または階調変換処理を施すことを特徴とする請求項１または２に記載の放射線デジタル画像処理システム。
【請求項２２】
前記画像処理手段は、濃度変換カーブを示すデータを出力手段の種類に対応して記憶しているルックアップテーブルを備え、前記出力手段選択手段により選択された放射線デジタル画像出力手段の種類に関する情報に従って、前記ルックアップテーブルから対応する濃度変換カーブを示すデータを読み出し、読み出された濃度変換カーブを示すデータを用いて前記入力手段により入力される放射線デジタル画像データに対して濃度及び／または階調変換処理を施すことを特徴とする請求項１または２に記載の放射線デジタル画像処理システム。
【請求項２３】
前記画像処理手段は、前記設定手段により設定された発生源の種類に関する情報に従って、発生源の種類に対応して予め設定されている放射線デジタル画像出力手段を選択することを特徴とする請求項１または２に記載の放射線デジタル画像処理システム。
【請求項２４】
前記画像処理手段は、前記入力手段により入力された放射線デジタル画像に付加されている発生源の種類に関する情報従って、発生源の種類に対応して予め設定されている放射線デジタル画像出力手段を選択することを特徴とする請求項１または２に記載の放射線デジタル画像処理システム。
【請求項２５】
前記特徴量は、照射野の中心領域における画素値の最大値、最小値、平均値、中央値、最頻値のうちいずれかであることを特徴とする請求項１または２に記載の放射線デジタル画像処理システム。
【請求項２６】
前記照射野の中心領域の大きさ及び／または形状が従来使用されていたホトタイマとほぼ一致することを特徴とする請求項１または２に記載の放射線デジタル画像処理システム。
【請求項２７】
更に、前記入力手段により入力された放射線デジタル画像データを記録する記憶手段を具備することを特徴とする請求項１または２に記載の放射線デジタル画像処理システム。
【発明の詳細な説明】
【０００１】
【発明の属する技術分野】
本発明は、放射線デジタル画像を処理する放射線デジタル画像処理システムに関するものである。
【０００２】
【従来の技術】
近年より、Ｘ線等の放射線を被写体に照射し、その透過像である放射線画像を直接固体撮像素子を用いて撮倹し、撮像された放射線画像に対応した画像信号をＣＲＴ（Ｃａｔｈｏｄｅ  Ｒａｙ  Ｔｕｂｅ）表示装置等に可視像として表示したり、或いは撮像された放射線画像に対応した画像信号をデジタル化し、デジタルデータの状態で画像処理を施した後、プリントアウトしたりするような放射線画像撮影システムが開発されている。上述の放射線画像撮影システムにおいて、その撮影目的に応じて撮影する部位が異なり、また放射線画像を可視化する際に行う画像処理では、処理する部位毎に最適な濃度や階調が異なるために、各部位の画像毎にそれぞれ異なった画像処理を施す必要がある。
【０００３】
【発明が解決しようとする課題】
上述の放射線画像撮影システムにおいては、撮像された放射線画像を安定した画像になるように様々な画像解析を行い、その解析結果をもとに画像処理を行っていた。
【０００４】
そして、最近では医療施設内においてもコンピュータネットワークが徐々に整備されつつあり、上記放射線画像撮影システム以外にも、輝尽性蛍光体シートを用いた放射線画像撮影装置（ＣＲ）やイメージングインテンシファイアを用いた放射線画像撮影装置（ＤＲ）等の異なる放射線画像装置によって撮影されて放射線画像情報を同じ画像処理装置で処理し、処理された放射線画像情報をＣＲＴ表示装置、フィルムイメージャ装置或はドライプリンタ装置等の異なる出力装置に出力するような使われ方をする場合もある。
【０００５】
そして上述のような場合には、画像処理装置において行う画像処理を各撮影装置や出力装置に対応させるために、該画像処理装置を操作する操作者自身が複数の手順の設定操作を行わなければならず、操作者にとっては大変煩雑な作業となっていた。
【０００６】
また、胸部撮影を撮影した場合、関心領域が肺野である場合と骨部である場合といったように異なるため、実際の関心領域が肺野であるか、骨部であるかによって、異なる濃度や階調で画像処理を行うように操作者自身がマウスやタッチパネル等の入力機器を操作し、放射線画像における関心領域に対応した画像処理を行うように画像処理装置を設定する必要があり、操作者にとってこれらの操作も手間のかかることであった。
【０００７】
本発明は、上述の問題点を解決するために為されたものであり、複雑な解析を用いること無く放射線デジタル画像に対して自動的に最適な画像処理を施すことができる放射線デジタル画像処理システムを提供することを目的とする。
【０００８】
【課題を解決するための手段】
上記目的を達成するために、本発明に係る放射線デジタル画像処理システムは、放射線デジタル画像の照射野の中心領域の特徴量を生成する特徴量算出手段と、前記特徴量算出手段により算出された特徴量に関する情報に応じて、画像処理を行う画像処理手段とを有することを特徴とする。
【０００９】
（作用）
上記の構成により、操作者の手を煩わすことなく放射線デジタル画像に対して自動に最適な画像処理を施すことができる。
【００１０】
【発明の実施の形態】
以下に、本発明を本発明の実施の形態として放射線デジタル画像処理システムに基づいて詳細に説明する。
【００１１】
図１は、本発明の実施の形態としての放射線デジタル画像処理システムの概略構成を示した図である。
【００１２】
図１において、１０は、放射線デジタル画像データを後段の画像記録部１１へ出力する画像データ形成部で、例えばＸ線等の放射線を被写体に照射し、その透過像である放射線画像を直接固体撮像素子を用いて撮像し、撮像された放射線画像に対応した放射線デジタル画像データを出力する放射線画像撮影装置である。
【００１３】
なお、画像データ形成部１０は、上記放射線画像撮影装置の他に、輝尽性蛍光体シートに蓄積記録された放射線画像を読み取る放射線画像読取装置、放射線を被写体に曝射し、その透過像である放射線画像を蛍光板で受光し、該蛍光板の受光像を固体撮像素子によって放射線デジタル画像データに変換する放射線画像撮影装置、或はコンピュータネットワークに接続されている放射線画像撮影装置から供給される放射線デジタル画像データを入力するための入力インターフェース等がある。すなわち、該画像データ形成部１０自身が放射線画像撮影装置である必要はなく、例えば遠隔地の病院等に設置されている放射線画像撮影装置により撮影された放射線画像を示す放射線画像データが、インターネット等のコンピュータネットワークを経由して本放射線デジタル画像処理システムに入力されるような構成であっても良い。
【００１４】
１１は、前記画像データ形成部１０より出力される放射線デジタル画像データを記録するための画像データ記録部で、例えばデータを高速に書き込み可能な半導体メモリやハードディスクドライブ装置等により構成されている。
【００１５】
１２は、前記画像データ形成部１０において放射線デジタル画像データを出力している装置の種類を設定し、設定された装置の種類を示す情報データを後段の画像処理部１７とに出力する設定部である。なお、該設定部１２は、操作者自身が操作卓に設けられたボタンやダイアル等を操作したり、或はコンピュータの入力機器であるキーボードやマウス等を操作したりすることより、操作者自身が放射線デジタル画像データを出力している装置の種類を直接手動で設定するように構成されたり、例えば医療におけるデジタル画像通信の規格であるＤＩＣＯＭでは、放射線デジタル画像データに当該放射線デジタル画像データを形成した装置に関する情報が付加されているため、前記画像データ形成部１０や前記画像データ記録部１１から出力される放射線デジタル画像データに当該放射線デジタル画像データが形成された装置に関する情報が付加されている場合には、付加されている当該情報に従って放射線デジタル画像データを出力している装置の種類を判別し、自動的に設定するように構成されている。
【００１６】
１３は、前記画像データ形成部１０より出力される放射線デジタル画像データが示す部位の種類を判別し、判別された部位の種類を示す情報データを後段の画像処理部１７に出力する判別部である。なお、該判別部１３は、操作者自身が操作卓に設けられたボタンやダイアル等を操作したり、或はコンピュータの入力機器であるキーボードやマウス等を操作したりすることより、操作者自身が放射線デジタル画像データが示す部位の種類を直接手動で設定するように構成されたり、例えば医療におけるデジタル画像通信の規格であるＤＩＣＯＭでは、放射線デジタル画像データに当該放射線デジタル画像データが示す部位の種類に関する情報が付加されているため、前記画像データ形成部１０から出力される放射線デジタル画像データに当該放射線デジタル画像データが示す部位の種類に関する情報が付加されている場合には、付加されている当該情報に従って放射線デジタル画像データが示す部位の種類を判別し、自動的に設定するように構成されている。
【００１７】
１４は、放射線デジタル画像データを出力するための出力装置を例えばＣＲＴ表示装置やフィルムイメージャ装置、或はドライブリンタ装置等の複数種の出力装置の中から使用する装置を選択し、選択された出力装置の種類を示す情報を後述の画像処理部１７に出力する出力装置選択部である。なお、出力装置選択部１４は、操作者自身が操作卓に設けられたボタンやダイアル等を操作したり、或はコンピュータの入力機器てあるキーボードやマウス等を操作したりすることにより操作者自身が複数種の出力装置の中から使用する装置を直接手動で選択するように構成されたり、例えば前記設定部１２において設定された放射線デジタル画像データを出力している装置の種類に関する情報に基づいて使用される出力装置が予めプリセットされている場合には、上述の様にボタンやダイアル等を操作することによって操作者自身が直接手動で選択するのではなく、該放射線デジタル画像データを出力している装置の種類に関する情報に基づいて予めプリセットされている出力装置を自動的に選択するように構成されている。
【００１８】
１５は、放射線デジタル画像の照射野を抽出する照射野抽出手段である。照射野を抽出する方法としては、例えば、画像領域を小領域に分割し、この小領域の濃度分散値の値に基づいて照射野を抽出してもよいし（特開平０５−００７５７９号公報）、画像領域端部近傍の所定画素間の画像濃度変化を１次式で近似し、この近似式による想定濃度値と画像の実際の濃度値との差から照射領域を抽出してもよい（特公平０６−９０４１２号公報）。照射野抽出手段１５からは、特徴量算出部１６に出力される放射線デジタル画像上における照射野に対応する画像領域に関する情報としては、放射線デジタル画像から直接切り出される当該画像領域に対応した画像データであったり、或は、放射線デジタル画像上における当該画像領域の位置を示す座標を示す情報データである。
【００１９】
１６は、前記画像記録部１１から出力される放射線デジタル画像データと前記照射野抽出手段１５より出力される該画像記録部１１から出力される放射線デジタル画像データが示す放射線デジタル画像上の照射野に対応する画像領域に関する情報データとをもとに、該画像領域における画素値の最大値、最小値、平均値、中央値、最頻値等の特徴量に関する情報を算出する特徴量算出部で、算出された特徴量に関する情報データは後段の画像処理部１７に出力される。
【００２０】
１７は、前記設定部１２から出力される放射線撮影装置の種類を示す情報と、前記判別部１３から出力される繚影部位に関する情報と、前記出力装置選択部１４から出力される出力装置の種類を示す情報と、前記特徴量算出部１６から出力される放射線デジタル画像の特徴量に関する情報とに基づいて、最適な濃度及び／または階調となるように前記画像記録部１１に記録されている放射線デジタル画像データに対して画像処理を施すための画像処理部である。
【００２１】
１８は画像出力部で、前述のように、ＣＲＴ表示装置やフィルムイメージャ装置或はドライブリンタ装置等の出力装置や、或はコンピュータネットワークに接続されている出力装置に前記画像処理部１７から供給される放射線デジタル画像を出力するためのインターフェース等である。すなわち、該画像出力部１８自身が出力装置である必要はなく、例えば遠隔地の病院等に設置されている出力装置に対して、インターネット等のコンピュータネットワークを経由して本放射線デジタル画像処理システムに入力されるような構成であっても良い。
【００２２】
ここで、図２に、照射野絞りを使用して放射線デジタル画像撮影装置を用いて患者の胸部撮影を行い、撮影された放射線デジタル画像をフィルムに焼き付けて出力する場合を例として、本放射線デジタル画像処理システムの動作について詳細に説明する。
【００２３】
まず、画像データ形成部１０から出力される照射絞りを用いて撮影した放射線デジタル画像は、画像データ記録部１１に送られ、半導体メモリやハードディスクドライブ装置等に記録される。
【００２４】
照射野抽出部１５により、この放射線デジタル画像の照射野を抽出する。照射野を抽出する方法は、例えば、図２に示すように撮影された画像の垂直方向と水平方向のそれぞれの画素値の総和を算出し、その変化量が急峻な部分を照射野の端点とする。それぞれの点を図２に示すようにＡ，Ｂ，Ｃ，Ｄとする。この４点Ａ，Ｂ，Ｃ，Ｄの座標Ａ（ｘａ，ｙａ），Ｂ（ｘｂ，ｙｂ），Ｃ（ｘｃ，ｙｃ），Ｄ（ｘｄ，ｙｄ）を特徴量算出部１６に出力する。特徴量算出部１６では、この４点Ａ（ｘａ，ｙａ），Ｂ（ｘｂ，ｙｂ），Ｃ（ｘｃ，ｙｃ），Ｄ（ｘｄ，ｙｄ）の座標より、照射野の中心Ｍの座標を算出する。例えば中心座標Ｍは、
【外１】
2004187965.tif 000003
【００２５】
となる。この中心座標Ｍを中心とした一辺が２αの矩形領域を特徴量を算出する画像領域Ｒとする。この画像領域Ｒの左上の座標は、
【外２】
2004187965.tif 000004
【００２６】
で、サイズは２α×２αである。この２αは、例えば３０〜１００ｍｍの長さに相当する画素数である。また、この２αは、従来フィルムの濃度を一定に保つ為に、被写体と透過した線量が一定量を超えるとＸ線を遮断するホトタイマの一辺の長さに相当する画素数であってもよい。もちろん、画像領域Ｒは正方の必要はなく、長方形であってもよい。
【００２７】
例えば、胸部撮影用のホトタイマは、図３に示すような形状のものを使われていることがある。胸部正面を撮影する場合は、３１の雲形の領域を用い、側面の撮影では３２の円形の領域を用いる。
【００２８】
先の説明では、照射野を４点からなる矩形領域と仮定したが、この様に任意の不定形であってもよく、撮影部位に応じて特徴量を算出する画像領域の形状を変えても良い。
【００２９】
そして、この画像領域内（図２のＲ）の画素値を全て加算することにより全加算値を算出し、算出された全加算値を前記画像領域Ｒ内の画素数で割ることにより平均値Ａを算出し、画像処理部１７に出力する。
【００３０】
図５に、領域形状決定部１９を付加した構成図を示す。領域形状決定部１９は、判別部１３が、判別した放射線デジタル画像データが示す部位の種類を示す情報データをもとに、画像領域の形状を決定する。たとえば、胸部正面の場合は３１の雲形の領域を、側面の場合は３２の円形の領域を画像領域とする。
【００３１】
同様に、画像データの発生源の種類に従って、画像領域の形状を決定してもよい。例えば、胸部正面専用の撮影装置で撮影された画像データは３１の雲形の領域を、頭部専用の撮影装置で撮影された画像データは３２の円形の領域を使用する。この構成図を図６に示す。設定部１２で設定された画像データの発生源の種類を示す情報データを領域形状決定部１９に送り、領域形状決定部１９はこの発生源の種類を示す情報データをもとに画像領域の大きさおよび／または形状を決定する。
【００３２】
また、領域形状決定部１９は、照射野抽出部１５が抽出した照射野の大きさや形状の情報データをもとに、画像領域の形状を決定する。さらに、抽出した照射野の大きさに比例して画像領域の大きさを変更してもよい。例えば、肺や腹部の撮影のように、大きな照射野を必要とする画像では、領域形状決定部１９で選択される画像領域を大きく、頭部や四肢のように小さな照射野で繚影される部位は、画像領域を小さくする。この構成図を図７に示す。照射野抽出部１５が抽出した照射野情報データを領域形状決定部１９に送り、領域形状決定部１９はこの照射野情報データをもとに画像領域の大きさおよび／または形状を決定する。
【００３３】
また、額域形状決定部１９は、設定部１２が出力する画像データの発生源の種類を示す情報データと照射野抽出部１５の出力する照射野情報データの両方、または判別部１３が出力する部位の種類を示す情報データと照射野抽出部１５の出力する照射野情報データの両方を用いて、画像領域の形状を決定してもよい。例えば、判別部１３が出力した部位が胸部でかつ、被写体が小柄で照射野抽出部１５で出力された照射野も小さかった場合は、画像領域も小さいものに決定する。逆に大柄な体格の被写体の場合は、画像領域を大きくする。
【００３４】
ところで、本動作例の場合は、設定部１２において撮影に使用している放射線デジタル撮影装置の種類が設定され、判別部１３において撮影部位が胸部と判別され、更に出力装置選択部１４において出力装置としてフィルムイメージャ装置が選択されているので、画像処理部１７では前記特徴量算出部１６から特徴量に関する情報として供給される平均値Ａが、最終的にフィルムイメージャ装置から出力されるフィルム上において最適な濃度値Ｄとなるような濃度変換特性を有する濃度変換カーブに基づいた濃度変換処理が行われる。画像処理部１７は、濃度変換処理の基準となる濃度変換カーブを示すデータを撮影部位毎に複数種記憶したルックアップテーブル（以下、単にＬＵＴと略す）を備えており、まず、前記判別部１３において判別される撮影部位に対応する濃度変換カーブに関するデータを該ＬＵＴから読み出す。すなわち、本動作例の場合には、図４に太線で示すような濃度変換特性を有する胸部用の濃度変換カーブを示すデータがＬＵＴから自動的に読み出される。
【００３５】
そして、該画像処理部１７では、特徴量算出部１６において算出された平均値Ａが濃度値Ｄとなるように、ＬＵＴから読み出されたデータが示す濃度変換カーブを平行移動し、実際に濃度変換処理に用いる濃度変換カーブ（図４に細線で示すような濃度変換特性を有する濃度変換カーブ）に補正する。
【００３６】
そして、該画像処理部１７では、補正された濃度変換カーブに従って画像データ記録部１１から出力される患者の胸部を撮影したデジタル放射線画像データが示すデジタル放射線画像に対して濃度変換処理を施した後、濃度変換処理が施されたデジタル放射線画像データを画像出力装置１８に供給する。
【００３７】
画像出力装置１８では、画像処理部１７より供給されるデジタル放射線画像データが示す画素値に対応したレーザー強度で、フィルムにデジタル放射線画像を焼き付けることにより、該フィルムに最適な濃度のデジタル放射線画像を形成することができるようになる。
【００３８】
なお、上述の動作例では、撮影部位が胸部の場合を例として説明したが、例えば撮影部位が腹部や四肢の場合には、腹部用または四肢用の濃度変換カーブを示すデータがＬＵＴから自動的に読み出され、算出された特徴量に基き濃度変換処理を施されれば良い。
【００３９】
【発明の効果】
以上説明したように、本発明によれば、操作者の手を煩わすこと無く放射線デジタル画像に対して自動的に最適な画像処理を施すことができる放射線デジタル画像処理システムを提供することができる。
【図面の簡単な説明】
【図１】放射線デジタル画像処理システムの概略構成図。
【図２】放射線デジタル画像撮影装置図。
【図３】胸部撮影用のホトタイマ図。
【図４】胸部用の濃度変換カーブを示すデータ図。
【図５】領域形状決定部１９を付加した構成図。
【図６】画像データの発生源の種類に従って、画像領域の形状を決定する構成図。
【図７】抽出した照射野の大きさや形状の情報データをもとに、画像領域の形状を決定する構成図。
【図１】
2004187965.tif 000005
【図２】
2004187965.tif 000006
【図３】
2004187965.tif 000007
【図４】
2004187965.tif 000008
【図５】
2004187965.tif 000009
【図６】
2004187965.tif 000010
【図７】
2004187965.tif 000011